(57)【要約】本発明は、背景の前方にモチーフを示す、紙幣、小切手等のようなセキュリティ文書を製作するためのセキュリティ要素に関し、セキュリティ要素（Ｓ）は、第１のコーティング（７）を有し、モチーフを提供するモチーフ領域（１）と、第１のコーティング（７）と異なる第２のコーティング（８）を有し、背景を提供する背景領域（２）と、を有し、背景領域（２）からモチーフ領域（１）を区切る輪郭領域（３）が提供されており、輪郭領域（３）は、レリーフ構造（１０）によって形成されており、一方では輪郭領域（３）とモチーフ領域（１）との間に、他方では輪郭領域（３）と背景領域（２）との間に明るさ及び／又は色のコントラストが発生するように、光吸収のための幾何学的形状を有し、輪郭領域（３）のレリーフ構造（１０）は第１のコーティング（７）及び／又は第２のコーティング（８）によって少なくとも部分的に覆われることで、第１のコーティング（７）及び／又は第２のコーティング（８）の位置合わせの変動を捕捉する。
2020519478.tif 000002
【特許請求の範囲】
【請求項１】
背景に対しモチーフを表示する、紙幣、小切手等のようなセキュリティ文書を製作するためのセキュリティ要素であって、
−  第１のコーティング（７）を備え、前記モチーフを提供するモチーフ領域（１）と、
−  前記第１のコーティング（７）とは異なる第２のコーティング（８）を備え、前記背景を提供する背景領域（２）と、
を有する、セキュリティ要素（Ｓ）において、
−  前記背景領域（２）から前記モチーフ領域（１）を区切る輪郭領域（３）が提供されており、
−  前記輪郭領域（３）は、一方では前記輪郭領域（３）と前記モチーフ領域（１）との間に、他方では前記輪郭領域（３）と前記背景領域（２）との間に明るさ及び／又は色のコントラストが発生するように、光吸収に適した幾何学的形状を有するレリーフ構造（１０）によって形成されており、
−  前記輪郭領域（３）の前記レリーフ構造（１０）は、前記第１のコーティング（７）及び／又は前記第２のコーティング（８）によって少なくとも部分的に覆われることによって、前記第１のコーティング（７）及び／又は前記第２のコーティング（８）における位置合わせのばらつきを吸収する、
ことを特徴とする、セキュリティ要素。
【請求項２】
前記輪郭領域（３）は、０．１ｍｍ〜１．０ｍｍ、好ましくは０．３ｍｍ〜０．７ｍｍの幅を有することを特徴とする、請求項１に記載のセキュリティ要素。
【請求項３】
前記輪郭領域（３）の前記レリーフ構造（１０）はサブ波長回折格子を有することを特徴とする、請求項１又は２に記載のセキュリティ要素。
【請求項４】
前記２つのコーティング（７、８）は境界線で互いに当接し、又は境界線で重なり、
前記境界線は、前記輪郭領域（３）の前記レリーフ構造（１０）の上方に位置することを特徴とする、請求項１〜３のいずれか一項に記載のセキュリティ要素。
【請求項５】
前記輪郭領域（３）の前記レリーフ構造はモスアイ構造（１０）を有することを特徴とする、請求項４に記載のセキュリティ要素。
【請求項６】
前記輪郭領域（３）の前記レリーフ構造（１０）は、前記２つのコーティング（７、８）について、同じ若しくはほぼ同じ色の印象及び／又は明るさの印象を引き起こすことを特徴とする、請求項１〜５のいずれか一項に記載のセキュリティ要素。
【請求項７】
前記コーティング（７、８）は、前記輪郭領域（３）の外側に異なる色彩効果を発生させることを特徴とする、請求項１〜６のいずれか一項に記載のセキュリティ要素。
【請求項８】
前記第１のコーティング（７）及び／又は前記第２のコーティング（８）は、金属、高屈折、又は色彩効果生成層複合材であることを特徴とする、請求項１〜７のいずれか一項に記載のセキュリティ要素。
【請求項９】
前記レリーフ構造（１０）は、前記輪郭領域（３）の構造化部を有する前記輪郭領域（３）を形成する、請求項１〜８のいずれか一項に記載のセキュリティ要素。
【請求項１０】
前記輪郭領域（３）の前記構造化部は、前記輪郭領域（３）の中断部及び／又は肉眼で検出できない若しくは解像できないマイクロテキスト若しくは情報アイテムを備えることを特徴とする、請求項９に記載のセキュリティ要素。
【請求項１１】
請求項１〜１０のいずれか一項に記載のセキュリティ要素を有するセキュリティ文書。
【請求項１２】
背景に対しモチーフを表示する、紙幣、小切手等のようなセキュリティ文書を製作するためのセキュリティ要素（Ｓ）の製造方法であって、
−  モチーフ領域（１）が第１のコーティング（７）を備え、前記モチーフを提供し、
−  背景領域（２）が前記第１のコーティング（７）とは異なる第２のコーティング（８）を備え、前記背景を提供する、
製造方法において、
−  前記背景領域（２）から前記モチーフ領域（１）を区切る輪郭領域（３）が提供されており、
−  前記輪郭領域（３）は、一方では前記輪郭領域（３）と前記モチーフ領域（１）との間に、他方では前記輪郭領域（３）と前記背景領域（２）との間に明るさ及び／又は色のコントラストが発生するように、光吸収に適した幾何学的形状を有するレリーフ構造（１０）によって形成されており、
−  前記レリーフ構造（１０）は、前記第１のコーティング（７）及び／又は前記第２のコーティング（８）の適用時に、前記輪郭領域（３）が位置合わせのばらつき内の前記第１のコーティング（７）及び／又は前記第２のコーティング（８）により少なくとも部分的に覆われることによって、前記第１のコーティング（７）及び／又は前記第２のコーティング（８）の前記位置合わせのばらつきを吸収するように配列される、
ことを特徴とする、製造方法。
【請求項１３】
前記セキュリティ要素（Ｓ）は、請求項１〜１０のいずれか一項に記載のとおりに製造されることを特徴とする、請求項１２に記載の製造方法。
【請求項１４】
前記輪郭の構造化部を作成するために、少なくともいくつかの領域において、前記レリーフ構造（１０）上の前記第１のコーティング（７）及び／又は前記第２のコーティング（８）が除去されることを特徴とする、請求項１２又は１３に記載の製造方法。
【発明の詳細な説明】
【技術分野】
【０００１】
本発明は、第１のコーティングを備え、モチーフを提供するモチーフ領域と、第１のコーティングとは異なる第２のコーティングを備え、背景を提供する背景領域と、に関する。
【０００２】
本発明は更に、セキュリティ要素を有するセキュリティ文書に関する。
【０００３】
最後に、本発明は、モチーフ領域が第１のコーティングを備え、モチーフを提供し、背景領域が第１のコーティングとは異なる第２のコーティングを備え、背景を提供する製造方法に関する。
【背景技術】
【０００４】
紙幣のセキュリティ特徴は、特に良好な認識性と偽造からの保護とを実現するように設計された記号、像、又はトゥルーカラー像などのモチーフを含む。特に、そのモチーフが背景に対して異なる構造化コーティングにより形成されている、この目的のためのセキュリティ要素は知られている。そのようなセキュリティ要素は、例えば、モチーフの設計には視野角依存色彩効果（ｖｉｅｗｉｎｇ−ａｎｇｌｅ  ｄｅｐｅｎｄｅｎｔ  ｃｏｌｏｒ  ｅｆｆｅｃｔ）を有するコーティング、背景には視野角とは独立して機能するコーティングを使用する。構造化部の場合、コーティングの位置合わせ精度は非常に重要である。このことは、フォトリソグラフィプロセス、又はいわゆるウォッシュカラー（ｗａｓｈ  ｃｏｌｏｒ）を用いた印刷などの適切な構造化技術に要求を突きつける。
【発明の概要】
【発明が解決しようとする課題】
【０００５】
したがって、本発明の目的は、製造性を促進すると同時に、セキュリティ要素の品質が向上するように、セキュリティ要素、セキュリティ文書、及び上述の種類の製造方法を改良することである。
【課題を解決するための手段】
【０００６】
本発明は、請求項１、１１及び１２に定義される。
【０００７】
本発明によれば、背景に対しモチーフを表示する、紙幣、小切手等のようなセキュリティ文書を製作するためのセキュリティ要素が提供される。モチーフは、第１のコーティングを備えるモチーフ領域によって生成される。背景は、第１のコーティングとは異なる第２のコーティングを備える、セキュリティ要素の背景領域によって提供される。異なるコーティングはモチーフと背景との間の外観差に寄与するが、外観差を生じさせる、モチーフ領域又は背景領域の、唯一の特性である必要はない。可能なオプションについては後に説明する。
【０００８】
背景領域とモチーフ領域とは輪郭領域によって互いに区切られている。これはレリーフ構造によって形成され、このレリーフ構造は、例えば、レリーフ構造が少なくとも光を一部吸収することで上から見ると暗く見えるように設計された幾何学的形状を有する。このようにして、一方では輪郭領域とモチーフ領域との間に、他方では輪郭領域と背景領域との間に、明るさ及び／又は色のコントラストが達成される。レリーフ構造が第１のコーティング及び／又は第２のコーティングの縁部の下に位置するとともに、各場合において２つのコーティングが同様の好ましくは暗い外観を有することにより、レリーフ構造は、第１のコーティング及び／又は第２のコーティングの適用時の位置合わせのばらつきを吸収するように使用される。製造方法においては、同様に、セキュリティ要素のモチーフ領域は第１のコーティングを備え、モチーフを提供することを前提とする。背景領域は異なる第２のコーティングを備え、背景を提供する。更に、モチーフ領域と背景領域とを互いに区切る輪郭領域が提供され、輪郭領域はレリーフ構造によって形成されている。この輪郭領域は、レリーフ構造が少なくとも光を一部吸収する性質を持つ幾何学的形状を有する。このようにして、一方では輪郭領域とモチーフ領域との間に、他方では輪郭領域と背景領域との間に明るさ及び／又は色のコントラストが発生する。レリーフ構造は、第１のコーティング及び／又は第２のコーティングの位置合わせのばらつきを吸収するように配列される。輪郭領域は、第１のコーティング及び／又は第２のコーティングの適用前に作成され、１つ又は両方のコーティングによって被覆される。
【０００９】
輪郭領域は、モチーフ領域と背景領域とを互いに区切るそのレリーフ構造により、はっきりと認識可能な輪郭を作成する。レリーフ構造を基に、第１のコーティング及び／又は第２のコーティングの実際の縁部を検出することはできない。したがって、第１のコーティング及び／又は第２のコーティングの適用におけるいかなる位置合わせのばらつきを問わず、各場合において、モチーフ領域及び背景領域の光学的に有効な部分は輪郭領域のレリーフ構造の縁部で終端する。換言すると、２つのコーティング間の境界線のばらつきは輪郭内に隠れ、輪郭は、第１のコーティング及び／又は第２のコーティングとは独立して、そのレリーフ構造の幾何学的形状により、隣接するモチーフ領域と背景領域とに対する明るさ及び／又は色のコントラストを生じさせる。
【００１０】
輪郭領域の効果には輪郭領域、したがって、レリーフ構造の特定の幅が必要であり、この幅は、第１のコーティング及び／又は第２のコーティングの適用における位置合わせのばらつきを覆うように選択される。ここでは、０．１ｍｍ〜１．０ｍｍの範囲が有利であることが判明しており、約０．３ｍｍ〜０．７ｍｍの範囲が特に有利であるが、これは、コーティングの構造化に更なる労力を有することなく、位置合わせのばらつきをこれらの値の半分に、例えば、＋／−０．２ｍｍに制限できるからである。
【００１１】
輪郭領域のレリーフ構造は、その幾何学的形状により、輪郭領域とモチーフ領域との間に、並びに輪郭領域と背景領域との間に明るさ又は色のコントラストを作成するように設計されている。幾何学的形状は、コントラストが、大方の場合、第１のコーティング又は第２のコーティングがレリーフ構造上に位置しているかどうかとは無関係であるように、有利に選択される。好ましい設計では、レリーフ構造は、光吸収型であるように設計されたサブ波長回折格子又はモスアイ構造を含む。
【００１２】
好ましくは、第１のコーティングと第２のコーティングとは境界線で互いに当接する。この境界線は、輪郭領域のレリーフ構造の上方に位置する。このような設計はモスアイ構造が使用される場合に特に有利である。なぜなら、その場合、２つのコーティング間の間隙により、モスアイ構造がこの間隙の領域においてわずかにより明るく見えることになるからである。
【００１３】
第１のコーティング及び第２のコーティングは、モチーフ領域と背景領域との間に可能な最良のコントラストが作成されるように選択される。この目的のために、色変化効果を生成する金属若しくは高屈折コーティング又は層複合材が好適である。特に、反射体／誘電体／吸収体を有する３層構成を有する色を変化するカラーシフトコーティングが使用され得る。
【００１４】
セキュリティ要素は、モチーフが高コントラストの輪郭によって背景から区切られていることから、モチーフを認識することがより簡単であるという更なる利点を有する。
【００１５】
更に、同様に、一方では輪郭領域とモチーフ領域との間に、他方では輪郭領域と背景領域との間に明るさ及び／又は色のコントラストが存在するように、後にコーティングされるが輪郭領域のコーティングとは異なるレリーフ構造をモチーフ領域及び／又は背景領域に提供することが可能である。輪郭領域とモチーフ領域との間並びに輪郭領域と背景領域との間のコントラストは、例えば、レリーフ構造のプロファイルの幾何学的形状を適切に選択することによって強化することができる。モチーフ領域及び背景領域のレリーフ構造は、例えば、金属又は高屈折材料でコーティングされる。先行技術から、例えば、マイクロミラーを有するレリーフ構造が知られている（独国特許出願公開第１０２０１００４９６１７  Ａ１号明細書を参照）。これらのマイクロミラーは画素に配列することができ、そのそれぞれは、同様に配向されたマイクロミラーを有する。マイクロミラーにより、特に、モーション効果又は３Ｄ効果も、モチーフ領域及び／又は背景領域内で実現することができる。また、フレネル構造（欧州特許第１５６２７５８  Ｂ１号明細書を参照）を使用することができる又はマイクロミラーと組み合わせることもできる。マイクロミラーにおいては、最大１００μｍ〜最大１μｍのレリーフ高さ及び１００μｍ未満〜１０μｍ未満の横寸法が知られている。当然、各場合において、背景領域とモチーフ領域とに対して異なるレリーフ構造を使用することはできる。重要な点は、輪郭領域が第１のコーティング及び第２のコーティングの効果を和らげる又は強調することである。これはいわゆるモスアイ構造の形態で特に良く達成される（国際公開第２００６／０２６９７５  Ａ２号パンフレット及び欧州特許出願公開第２４５３２６９  Ａ１号明細書を参照）。
【００１６】
１つの変更態様では、輪郭領域は、構造化部を備えることができ、レリーフ構造はそれに応じて構造化されるように設計されている。構造化部は、輪郭領域の中断部を意味し得る及び／又は肉眼で検出できないマイクロテキスト若しくは情報アイテムを含み得る。
【００１７】
輪郭領域は、また、複合モチーフ内の外形線であってもよい。複合モチーフは複数のモチーフ構成要素からなり、モチーフ構成要素の１つは、輪郭領域が背景領域を区切るように、すなわち、複合モチーフのうちの１つのモチーフ領域を複合モチーフの別のモチーフ領域から区切るように他に対して光学的に知覚されたときに背景であると理解される。
【００１８】
本発明を、本発明に必須の特徴も示すことができる例に基づき、及び図を参照して、以下で更に詳細に記載する。
【図面の簡単な説明】
【００１９】
【図１】セキュリティ要素を有する紙幣の平面図である。
【図２】輪郭が背景からモチーフを区切る、背景に対して複数のモチーフを有するセキュリティ要素の平面図である。
【図３】２つの輪郭によりモチーフが背景から区切られる領域内のセキュリティ要素の拡大図である。
【図４】図３に示される領域の領域内のセキュリティ要素の断面図である。
【発明を実施するための形態】
【００２０】
図１は、偽造から保護するためのセキュリティ要素Ｓを有する紙幣Ｂの平面図を示す。図１の概略図のセキュリティ要素は、例示的実施形態では、フィルム要素として設計され紙幣Ｂの紙幣用紙上に貼り付けられた矩形パッチである。セキュリティ要素は、紙幣Ｂのセキュリティスレッド又は窓領域に等しく使用され得る。
【００２１】
図２は、純粋に例として、背景に対するモチーフとしてハチドリを年と共に示すセキュリティ要素Ｓを示す。モチーフ領域１と背景領域２とは、モチーフを肉眼で認識することができるように反射して光学コントラストを形成する異なるコーティングによって形成されている。ハチドリと年とはそれぞれ、輪郭により背景から分離されている。輪郭は、モチーフ領域１と背景領域２との両方とコントラストを形成するように設計されたレリーフ構造によって輪郭領域３内に作製される。これにより、観察者にとってのモチーフの知覚性が大幅に高まる。
【００２２】
輪郭内のレリーフ構造はエンボス構造を備え、このエンボス構造は、コーティング後、領域１及び領域２に対してコントラストを示し、好ましくは暗くなる。輪郭の外観は、それがモチーフ領域１のコーティング又は背景領域２のコーティングを備えるかどうかとはほとんど無関係である。可能な両方のコーティングによって、輪郭領域３は有利には、同等に又はほぼ同等に暗い。位置合わせのばらつきのせいで、輪郭領域は、通常、部分的に第１のコーティングと部分的に第２のコーティングとを備える。しかしながら、これは、金属被覆を有するその外観が両方とも同じように暗い場合には（例えば、吸収レベルのずれが０．２未満、好ましくは０．１未満である）、たとえ認められるとしてもほとんど認められない。輪郭領域３と領域１及び領域２との間のコントラストが、輪郭内の異なるコーティング間のコントラストよりも優位になる。輪郭領域３は２つの機能を有する。一方では、これらの輪郭領域３は、背景からモチーフを区切ること又は異なるモチーフ領域を互いに区切ることによってモチーフの構造化部を支持する。他方では、レリーフ構造は、２つのコーティングのうちの１つで覆われたとしても隣接する領域間にコントラストをなお発生させるため、これらの輪郭領域３は、コーティングの適用時の位置合わせのばらつきを吸収する。
【００２３】
図３及び図４は、この状況を示す。図３は、図２のセキュリティ要素の切取部、すなわち、モチーフ領域１が両側で背景領域２から区切られる場所を示す。境界部に、輪郭領域３が位置する。輪郭領域３は、モチーフ領域１に第１のコーティングを、又は背景領域３に第２のコーティングを適用する最中の位置合わせのばらつきを吸収するように選択された幅を有する。各輪郭領域３の幅は、コーティング適用時における最大の位置合わせのばらつきよりも大きい。
【００２４】
図４は、これらの割合を、図３の破線の円により表される切取部４の断面図で示す。セキュリティ要素Ｓは基材５上で組み合わされ、基材５の上側に、エンボスラッカー層６が形成される。モチーフ領域１は第１のコーティング７を特徴とし、背景領域２は第２のコーティング８を特徴とし、モチーフ領域１及び背景領域２の反射の印象に影響する又はこれを画定する。透明カバリングフィルム９は、セキュリティ要素Ｓの上側の保護を確実にする。輪郭領域３は、コーティング７、８の下のエンボスラッカー層６内にモスアイ構造１０がエンボス加工されることによって形成され、モスアイ構造１０は、第１のコーティング７及び／又は第２のコーティング８と重なった場合、輪郭領域を光吸収型にする。２つのコーティング７、８は境界線１１において互いに当接する。この境界線１１はモスアイ構造１０の上方である。光学的印象、すなわち、モチーフ領域１又は背景領域２の境界部は、輪郭領域３により、したがって、モスアイ構造１０により画定される。モスアイ構造１０の幅は、第１のコーティング７と第２のコーティング８との間の境界線１１の位置に関する位置合わせのばらつきが吸収されるように選択される。したがって、モスアイ構造１０の幅は、第１及び第２のコーティング７、８が適用されたときに生じる位置合わせのばらつきよりも大きい。
【００２５】
境界線１１の代わりに、２つの層７、８の間に間隙が存在し、次いで、モスアイ構造１０の上方に、すなわち輪郭領域３内に全体的に位置付けること、又はコーティング７、８が輪郭領域３内で重なることも可能である。
【００２６】
第１のコーティング７及び第２のコーティング８の縁部又は境界線１１の生産技術関連のばらつきは輪郭内の輪郭領域３の下層にあるレリーフ構造によって隠れ、輪郭内の輪郭領域３は、第１のコーティング７又は第２のコーティング８との任意の重なりとは無関係に、隣接する領域１、２に対しコントラストを作成し、両コーティングは好ましくは同じ又はほぼ同じに見える。
【００２７】
第１のコーティング７の例は、多層構造の形態で先行技術から知られる、例えば、赤みを帯びた若しくは金色のコーティング（例えば、Ａｕ、Ｃｕ、又はＡｌ−Ｃｕ合金）、又はカラーシフトコーティングである。背景領域２の第２のコーティング８の例はアルミニウム金属被覆である。コーティング７、８は、先行技術で知られるいわゆるウォッシュカラー印刷法によって構造化され得る。輪郭領域３の幅は、位置合わせマークのばらつきによるコーティングの縁部又はそれらの境界線１１が常に輪郭領域２内にあるように選択される。例えば、ウォッシュカラー印刷によって境界線位置の公差＋／−０．２ｍｍを達成できる場合、輪郭領域は幅が少なくとも０．４ｍｍになるように選択される。したがって、各場合において、２つの異なるコーティングが境界線の上方で互いに当接し又は重なり、好ましくはあらゆる位置合わせ状況において少なくとも依然として接するように、第２のコーティングは、第１のコーティングに隣接する又は第１のコーティングと十分に重なるように適用される。位置合わせマークのばらつきに関わらず、観察者は、２つの異なる色の領域、すなわち、モチーフ領域１と背景領域２とが互いに完全に整列し、それらの間に厳密に幅０．４ｍｍの輪郭が延びる状態で見える。
【００２８】
１つの変更態様においては、輪郭の光学的印象を向上させるために、レリーフ構造を覆う領域のコーティング７、８を、同じく構造化された手法で、例えば、レーザ光の照射によって除去することが可能である。このようにして、異なるようにコーティングされた領域をエンボス加工のために完全に位置合わせさせて正確に分離する、透明な輪郭が得られる。これにより、例えば、輪郭にマイクロテキスト又はマイクロシンボルを導入するための構造化を行うことも可能になる。
【００２９】
「輪郭」という用語は、モチーフの外部境界に限定されない。この用語は、あるモチーフ領域が背景領域とみなされ、他がモチーフ領域とみなされるようにモチーフの異なる領域を互いに区切る内部外形線でもあり得る。
【００３０】
輪郭領域３の所望のコントラストのある構造を提供するためには、図１〜図４で使用されるモスアイ構造１０が特に好適である。そのようなモスアイ構造１０を生成するための様々な方法が文献から知られている。一例として、国際公開第２００６／０２６９７５  Ａ２号パンフレット又は欧州特許第１４３４６９５（Ｂ１）号明細書を参照されたい。これらの公報では、屈折率勾配層を形成するとともに良好な吸収効果を有するランダム面について説明している。これらランダム面の構造の深さは、好ましくは、５０ｎｍを超え、隣接する上昇部間の平均距離は５００ｎｍ未満である。したがって、これらはサブ波長構造の一例である。このようなランダム面は、ＰＭＭＡなどのプラスチック基材からブラズマエッチングプロセスにより生成することができる。代替的に、周期的に配置されたモスアイ構造も使用することができる。５００ｎｍを超える平均間隔を有するマイクロキャビティもまた高吸収効果を有し得る。欧州特許第１４３４６９５（Ｂ１）号明細書は、４２０ｎｍ未満の周期を有する金属被覆された交差格子により形成されるモスアイ構造について開示している。また、光吸収については、例えば、国際公開第２０１２／１５６０４９  Ａ１号パンフレットに記載されているように、２次元周期のサブ波長回折格子を使用することができる。
【００３１】
背景領域とモチーフ領域と輪郭領域との間の分界は、色フィルタとして機能するレリーフ構造によって実現することができる。これらは必ずしも黒である必要はなく、赤又は青などの異なる色に見えることもできる。モチーフの知覚性のためには暗色が有利である。上述の金属サブ波長構造は、一部、光の共振吸収により、可視スペクトル範囲内で光吸収の増加を示し、反射の色度をもたらす。レリーフ構造では、可視波長域内の平均吸収が、例えば、モチーフ領域及び背景領域に提供されるような平滑面のものよりも常に高いため、輪郭領域とモチーフ領域及び／又は背景領域との間の高コントラストが保証される。あるいは、これらの構造は、また、いくつかの方向からは暗くならなくてもよい。
【００３２】
良好な知覚性のために、輪郭領域の平均明るさは、有利には、反射において、モチーフ領域の平均明るさ及び背景領域の平均明るさの５０％未満である。
【００３３】
輪郭領域３のレリーフ構造は、例えば、二光子吸収過程で機能するｅビームシステム又はレーザ描画システムなどのリソグラフィ法により製造されることが好ましい。あるいは、その輪郭領域３のレリーフ構造は、二段階リソグラフィプロセスで生成することができる。第１の段階において、ナノ構造化が実施される。これは、例えば、電子ビームリソグラフィプロセスにより実行される。代替として、レーザビーム干渉法も使用することができる。非周期的モスアイ構造はまた、ブラズマエッチングによって又は超短レーザパルスでの構造化によって生成することができる。次の工程で、そのような構造の原型又は複製はフォトレジストにより平坦化される。この目的に適した方法は主に、スピンコーティング又はディップコーティングである。その後、フォトリソグラフィ工程においてフォトレジストにレリーフ構造が刻まれ、構造の所望の領域が露光される。このプロセスは、直接露光手順においてレーザライタを用いて実行され得る。その後、得られた原型を、電解的に又は感光性ポリマー（例えば、ｏｒｍｏｃｅｒ）を使用して複製することができる。このようにして作製されたスタンプの表面構造は、その後、ステップアンドリピート方式によってより広い面積上に隣り合わせで複製することができる。表面上に複製されたこの原型の電解刻印によって、それからエンボスシリンダを作製することができる。最後に、構造は、連続的なロールツーロールプロセスでフィルム上にエンボス加工され得る。ＵＶ硬化性材料でのホットスタンピング又はエンボス加工などのナノインプリント法がここでは好適である。
【００３４】
最後に、エンボス加工されたフィルムは２つのコーティングを備える。この目的のためには、電子ビーム蒸着などの一般的な蒸着技術、熱蒸発、又はスパッタリングが好適である。金属材料としては、アルミニウム、銀、銅、パラジウム、金、クロム、ニッケル、鉄、コバルト及び／又はタングステン、並びにそれらの合金などの金属が使用される。最後に、構造は、任意選択的に、カバーフィルム９で積層加工され、それにより保護される。単純な金属コーティングの代わりに、レリーフ構造を多層構造で被覆することもできる。この目的のために、特に、半透明金属層と、誘電体間隔層と、その下に位置する金属鏡層とからなる、いわゆるカラーシフトコーティングが使用される。特に好適な誘電体は、ＳｉＯ２、ＭｇＦ２、Ｔａ２Ｏ５、ＺｎＳ、及びポリマーである。更なる代替物は、高屈折率材料を有する誘電体コーティングである。
【符号の説明】
【００３５】
１  モチーフ領域
２  背景領域
３  輪郭領域
４  切取部
５  基材フィルム
６  エンボスラッカー層
７  第１のコーティング
８  第２のコーティング
９  カバーフィルム
１０  モスアイ構造
１１  境界線
Ｂ  紙幣
Ｓ  セキュリティ要素
【図１】
2020519478.tif 000003
【図２】
2020519478.tif 000004
【図３】
2020519478.tif 000005
【図４】
2020519478.tif 000006
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
背景に対しモチーフを表示する、紙幣、小切手等のようなセキュリティ文書を製作するためのセキュリティ要素であって、
−  第１のコーティング（７）を備え、前記モチーフを提供するモチーフ領域（１）と、
−  前記第１のコーティング（７）とは異なる第２のコーティング（８）を備え、前記背景を提供する背景領域（２）と、
を有する、セキュリティ要素（Ｓ）において、
−  前記背景領域（２）から前記モチーフ領域（１）を区切る輪郭領域（３）が提供されており、
−  前記輪郭領域（３）は、一方では前記輪郭領域（３）と前記モチーフ領域（１）との間に、他方では前記輪郭領域（３）と前記背景領域（２）との間に明るさ及び／又は色のコントラストが発生するように、光吸収に適した幾何学的形状を有するレリーフ構造（１０）によって形成されており、
−  前記輪郭領域（３）の前記レリーフ構造（１０）は、前記第１のコーティング（７）及び／又は前記第２のコーティング（８）によって少なくとも部分的に覆われることによって、前記第１のコーティング（７）及び／又は前記第２のコーティング（８）における位置合わせのばらつきを吸収する、
ことを特徴とする、セキュリティ要素。
【請求項２】
前記輪郭領域（３）は、０．１ｍｍ〜１．０ｍｍの幅を有することを特徴とする、請求項１に記載のセキュリティ要素。
【請求項３】
前記輪郭領域（３）は、０．３ｍｍ〜０．７ｍｍの幅を有することを特徴とする、請求項２に記載のセキュリティ要素。
【請求項４】
前記輪郭領域（３）の前記レリーフ構造（１０）はサブ波長回折格子を有することを特徴とする、請求項１〜３のいずれか一項に記載のセキュリティ要素。
【請求項５】
前記２つのコーティング（７、８）は境界線で互いに当接し、又は境界線で重なり、
前記境界線は、前記輪郭領域（３）の前記レリーフ構造（１０）の上方に位置することを特徴とする、請求項１〜４のいずれか一項に記載のセキュリティ要素。
【請求項６】
前記輪郭領域（３）の前記レリーフ構造はモスアイ構造（１０）を有することを特徴とする、請求項５に記載のセキュリティ要素。
【請求項７】
前記輪郭領域（３）の前記レリーフ構造（１０）は、前記２つのコーティング（７、８）について、同じ若しくはほぼ同じ色の印象及び／又は明るさの印象を引き起こすことを特徴とする、請求項１〜６のいずれか一項に記載のセキュリティ要素。
【請求項８】
前記コーティング（７、８）は、前記輪郭領域（３）の外側に異なる色彩効果を発生させることを特徴とする、請求項１〜７のいずれか一項に記載のセキュリティ要素。
【請求項９】
前記第１のコーティング（７）及び／又は前記第２のコーティング（８）は、金属、高屈折、又は色彩効果生成層複合材であることを特徴とする、請求項１〜８のいずれか一項に記載のセキュリティ要素。
【請求項１０】
前記レリーフ構造（１０）は、前記輪郭領域（３）の構造化部を有する前記輪郭領域（３）を形成する、請求項１〜９のいずれか一項に記載のセキュリティ要素。
【請求項１１】
前記輪郭領域（３）の前記構造化部は、前記輪郭領域（３）の中断部及び／又は肉眼で検出できない若しくは解像できないマイクロテキスト若しくは情報アイテムを備えることを特徴とする、請求項１０に記載のセキュリティ要素。
【請求項１２】
請求項１〜１１のいずれか一項に記載のセキュリティ要素を有するセキュリティ文書。
【請求項１３】
背景に対しモチーフを表示する、紙幣、小切手等のようなセキュリティ文書を製作するためのセキュリティ要素（Ｓ）の製造方法であって、
−  モチーフ領域（１）が第１のコーティング（７）を備え、前記モチーフを提供し、
−  背景領域（２）が前記第１のコーティング（７）とは異なる第２のコーティング（８）を備え、前記背景を提供する、
製造方法において、
−  前記背景領域（２）から前記モチーフ領域（１）を区切る輪郭領域（３）が提供されており、
−  前記輪郭領域（３）は、一方では前記輪郭領域（３）と前記モチーフ領域（１）との間に、他方では前記輪郭領域（３）と前記背景領域（２）との間に明るさ及び／又は色のコントラストが発生するように、光吸収に適した幾何学的形状を有するレリーフ構造（１０）によって形成されており、
−  前記レリーフ構造（１０）は、前記第１のコーティング（７）及び／又は前記第２のコーティング（８）の適用時に、前記輪郭領域（３）が位置合わせのばらつき内の前記第１のコーティング（７）及び／又は前記第２のコーティング（８）により少なくとも部分的に覆われることによって、前記第１のコーティング（７）及び／又は前記第２のコーティング（８）の前記位置合わせのばらつきを吸収するように配列される、
ことを特徴とする、製造方法。
【請求項１４】
前記セキュリティ要素（Ｓ）は、請求項１〜１１のいずれか一項に記載のとおりに製造されることを特徴とする、請求項１３に記載の製造方法。
【請求項１５】
前記輪郭の構造化部を作成するために、少なくともいくつかの領域において、前記レリーフ構造（１０）上の前記第１のコーティング（７）及び／又は前記第２のコーティング（８）が除去されることを特徴とする、請求項１３又は１４に記載の製造方法。
【国際調査報告】
2020519478.tif 000007
2020519478.tif 000008
2020519478.tif 000009
2020519478.tif 000010
2020519478.tif 000011